(57)【要約】      （修正有）【課題】袋本体とフラップとを備えたフィルム製袋において、袋本体の開口が開きやすい構造を有したフィルム製袋を提供する。【解決手段】フィルム製袋Ａを、対をなす一方、他方の矩形シート１１、１２間に収納空間ｓｐが形成され一方、他方の矩形シート１１、１２の対応する一辺間に収納空間ｓｐを外部に連通させる開口を備えた袋本体１と、袋本体１における一方の矩形シート１１の一辺に折り線部分ｆを介して設けられたフラップ２とを具備してなり、フラップ２が他方の矩形シート１２と略平行に重なり合うように、折り線部分ｆに折り癖が付与されているものとした。【選択図】図１
0003213547.tif 000002
【実用新案登録請求の範囲】
【請求項１】
対をなす一方、他方の矩形シート間に収納空間が形成され前記一方、他方の矩形シートの対応する一辺間に前記収納空間を外部に連通させる開口を備えた袋本体と、この袋本体における前記一方の矩形シートの前記一辺に折り線部分を介して設けられたフラップとを具備してなるフィルム製袋であって、
前記フラップが、前記他方の矩形シートと略平行に重なり合うように、前記折り線部分に折り癖が付与されているフィルム製袋。
【請求項２】
前記折り線部分が、前記袋本体と前記フラップとの境界及びその近傍に設定された帯状領域をプレスすることにより形成されている請求項１記載のフィルム製袋。
【考案の詳細な説明】
【技術分野】
【０００１】
本考案は、種々の物品を収納し得るフィルム製袋に関する。
【背景技術】
【０００２】
物品を収納するためのフィルム製袋が種々存在している（例えば、特許文献１を参照）。
【０００３】
従来のフィルム製袋Ｂの概要について、図８及び図９を参照しつつ説明することにする。従来のフィルム製袋Ｂは、収納空間ｓｋを形成した袋本体７と、袋本体７に連設されたフラップ８とを具備してなる。袋本体７は、対をなす矩形シート７１、７２間に収納空間ｓｋを形成している。袋本体７には、対をなす矩形シート７１、７２の対応する上辺ｒ１、ｒ２間に収納空間ｓｋを外部に連通させる開口Ｑを備えている。フラップ８は、袋本体７を構成する一方の矩形シート７１と一体をなしているものであり、且つ、当該一方の矩形シート７１の上辺ｒ１から連続して同じ方向に延びている。
【０００４】
袋本体７を構成している矩形シート７１、７２の内面同士は、合成樹脂製のフィルムの性質上密着しやすいものとなっている。これは、一方の矩形シート７１にフラップ８が延設されているものであっても同様であり、開口Ｑが開きにくいものとなっている。
【０００５】
換言すれば、従来のフラップを有したフィルム製袋は、構造上、開口が開きにくいものであり、収納空間内に手や物品を挿入し難いという不具合があった。
【先行技術文献】
【特許文献】
【０００６】
【特許文献１】実用新案登録第３１３６９２５号公報
【考案の概要】
【考案が解決しようとする課題】
【０００７】
本考案は、このような課題に着目してなされたものであって、袋本体とフラップとを備えたフィルム製袋において、少なくとも袋本体の開口が開きやすい構造を有したフィルム製袋を提供することにある。
【課題を解決するための手段】
【０００８】
すなわち、本考案は次の構成をなしている。
【０００９】
請求項１に係る考案は、対をなす一方、他方の矩形シート間に収納空間が形成され前記一方、他方の矩形シートの対応する一辺間に前記収納空間を外部に連通させる開口を備えた袋本体と、この袋本体における前記一方の矩形シートの前記一辺に折り線部分を介して設けられたフラップとを具備してなるフィルム製袋であって、前記フラップが前記他方の矩形シートと略平行に重なり合うように、前記折り線部分に折り癖が付与されているフィルム製袋である。
【００１０】
請求項２に係る考案は、前記折り線部分が、前記袋本体と前記フラップとの境界及びその近傍に設定された帯状領域をプレスすることにより形成されている請求項１記載のフィルム製袋である。
【考案の効果】
【００１１】
以上説明したように本考案によれば、袋本体とフラップとを備えたフィルム製袋において、袋本体の開口が開きやすい構造を有したフィルム製袋を提供することにある。
【図面の簡単な説明】
【００１２】
【図１】本考案の一実施形態を示す背面図。
【図２】図１における概略的なＸ−Ｘ線断面図。
【図３】同実施形態における部分拡大背面図。
【図４】同実施形態における一使用例を示す斜視図。
【図５】同実施形態における一使用例を示す概略断面図。
【図６】同実施形態における一使用例を示す概略背面図。
【図７】同実施形態における一使用例を示す概略背面図。
【図８】従来例のフィルム製袋を示す図１対応の背面図。
【図９】図８における概略的なＹ−Ｙ線断面図。
【考案を実施するための形態】
【００１３】
以下、本考案の一実施形態を、図１〜７を参照して説明する。
【００１４】
この実施形態は、本考案を、種々の物品Ｇを収納し得るフィルム製袋Ａに適用したものである。なお、図２及び図５は、フィルム製袋Ａの概略的な断面図であるが、説明の便宜上、形状や厚み寸法等を誇張して示している。
【００１５】
フィルム製袋Ａは、原反である有色又は無色のプラスチックフィルムを加工することにより形成されたものである。フィルム製袋Ａは、物品Ｇを収納し得る収納空間ｓｐを形成した袋本体１と、袋本体１を構成する一方の矩形シート１１の一辺である上辺１１ａに折り線部分ｆを介して設けられたフラップ２とを備えてなるものである。
【００１６】
この実施形態では、フィルム製袋Ａを形成するためのプラスチックフィルムは、２０μｍ〜６０μｍの厚み寸法に設定された略無色透明の二軸延伸ポリプロピレン（ＯＰＰ）を用いている。なお、プラスチックフィルムは、用途等に応じて、種々のものを適用することができるのは言うまでもない。
【００１７】
以下、本実施形態において示すフィルム製袋Ａについて詳述する。
【００１８】
袋本体１は、正面視及び背面視において縦長の矩形状をなしたものである。袋本体１は、対をなす矩形シートすなわち一方の矩形シート１１と他方の矩形シート１２との間に収納空間ｓｐが形成されている。一方の矩形シート１１と他方の矩形シート１２とは略同一の形状をなしている。一方の矩形シート１１と他方の矩形シート１２の左の側辺１１ｂ、１２ｂ同士、及び、右の側辺１１ｃ、１２ｃ同士は、熱溶着により接着したものとなっている。また、一方の矩形シート１１と他方の矩形シート１２の底辺１１ｄ、１２ｄは、原反であるプラスチックフィルムを折り曲げることにより設けられている。一方の矩形シート１１及び他方の矩形シート１２の対応する一辺、すなわち向かい合う一辺である上辺１１ａ、１２ａ間には、収納空間ｓｐを外部に連通させる開口Ｋを備えている。
【００１９】
なお、図１に示すものは、フィルム製袋Ａの背面図であり、他方の矩形シート１２を手前側に位置させており、一方の矩形シート１１を他方の矩形シート１２の奥側に位置させている。
【００２０】
フラップ２は、袋本体１の収納空間ｓｐに収納された物品Ｇが当該収納空間ｓｐから外部に出てしまうことを抑制し得る蓋として機能し得るものである。フラップ２は、袋本体１における一方の矩形シート１１の上辺１１ａに折り線部分ｆを介して設けられている。すなわち、フラップ２は、一方の矩形シート１１に折り線部分ｆを介して連設されている。フラップ２は、物品Ｇを収納していない状態において、一方の矩形シート１１及び他方の矩形シート１２と面的に略平行をなし、他方の矩形シート１２の外面側に重なり合うように配されている。
【００２１】
この実施形態におけるフィルム製袋Ａは、袋本体１とフラップ２との間に介設された折り線部分ｆに所定の折り癖が付与されている。より詳しく言えば、フラップ２が、物品Ｇを収納空間ｓｐに収納していない状態において、一方の矩形シート１１及び他方の矩形シート１２と略平行をなし、且つ、他方の矩形シート１２の外面に添接して重なり合うように、折り線部分ｆに折り癖が付与されている。折り癖が付与された折り線部分ｆは、直線状に延びたプラスチックフィルムを一方の矩形シート１１の上辺１１ａとフラップ２との間の部分において約１８０°折り曲げ加工することにより形成されている。より具体的に説明すれば、折り癖が付与された折り線部分ｆは、図３に示すように、フラップ２と一方の矩形シート１１との境界ｓ及びその近傍により構成された帯状領域Ｈ（二点鎖線により示している）を図示しない折り癖付与装置を用いてプレスすることにより形成されている。
【００２２】
このように、本実施形態に係るフィルム製袋Ａは、対をなす矩形シートたる一方、他方の矩形シート１１、１２間に収納空間ｓｐが形成され一方、他方の矩形シート１１、１２の対応する一辺たる上辺１１ａ間に収納空間ｓｐを外部に連通させる開口Ｋを備えた袋本体１と、この袋本体１における一方の矩形シート１１の上辺１１ａに折り線部分ｆを介して設けられたフラップ２とを具備している。そして、フラップ２が、一方の矩形シート１１及び他方の矩形シート１２と略平行をなし、且つ、他方の矩形シート１２と重なり合うように、折り線部分ｆに折り癖が付与されている。このため、袋本体１とフラップ２とを備えたフィルム製袋Ａにおいて、袋本体１の開口Ｋが開きやすい構造を有したフィルム製袋Ａを提供することができるものとなる。
【００２３】
つまり、折り線部分ｆに折り癖が付与されており、フラップ２が一方及び他方の矩形シート１１、１２と略平行をなしているため、折り線部分ｆに一定のリブ的な剛性が付与されたものとなっている。
【００２４】
例えば、図４に示すように、物品Ｇを収納していない状態において、予め他方の矩形シート１２と重なり合う姿勢をなすフラップ２を持ち上げて他方の矩形シート１２の上辺１２ａに近接した折り線部分ｆの近傍に手指や物品Ｇを及ばせれば、折り線部分ｆを手掛かりにして袋本体１の開口Ｋを容易に開くことが可能となる。換言すれば、本実施形態に示すものであれば、開口Ｋを構成する部分である一方の矩形シート１１の上辺１１ａ近傍に一定の弾性を備えた折り線部分ｆが存在しているため、物品Ｇをフィルム製袋Ａの収納空間ｓｐに収納するための作業を好適に行わせることができるものとなっている。
【００２５】
しかも、フィルム製袋Ａは、フラップ２が袋本体１と略平行に重なり合うように折り線部分ｆに折り癖が付与されているものであるため、例えば、図５、図６、及び、図７に示すような使用態様をも無理なく採り得るものとなっている。
【００２６】
すなわち、図５に示すように、フラップ２の先端側が、袋本体１の収納空間ｓｐ内に位置するように、フラップ２の姿勢を無理なく設定することができるものとなっている。このようにすれば、袋本体１内に位置させたフラップ２が逆止弁的に作用することになる。つまり、フラップ２は、折り癖が付与された折り線部分ｆの形状によって、袋本体１と略平行をなす姿勢が保持されているため、袋本体１の収納空間ｓｐに収納された物品Ｇを、別途止着テープ等を用いなくても外部に出にくいものとさせている。
【００２７】
また、図６に示すように、フィルム製袋Ａは、フラップ２と袋本体１との間に水平方向に架け渡された紐状体Ｊを位置させることにより、フラップ２を容易に紐状体Ｊに引っ掛けることができるようになっている。つまり、本実施形態におけるフィルム製袋Ａは、その収納空間ｓｐ内に物品Ｇを収納した状態であっても、紐状体Ｊに吊るして支持させ得るものとなっている。なお、フラップ２と袋本体１との間には、紐状体Ｊに代えて、例えば、起立させた薄板状をなす部材の上端を位置させるようにしても同様の効果が得られる。
【００２８】
さらに、図７に示すように、フィルム製袋Ａは、その収納空間ｓｐ内に物品Ｇを収納した状態において開口Ｋを下側に位置させても、フラップ２が物品Ｇの落下を好適に抑制し得るものとなっている。なお、図５に示すように、フラップ２の先端側を袋本体１の収納空間ｓｐ内に位置させるようにすれば、フラップ２の開きは袋本体１によって好適に規制され得るものとなる。すなわち、フラップ２の先端側を袋本体１内に位置させた姿勢であれば、収納空間ｓｐ内に収納された物品Ｇの落下をより一層抑制し得るものとなる。
【００２９】
折り線部分ｆが、フラップ２と一方の矩形シート１１との境界ｓ及びその近傍により構成された帯状領域Ｈをプレスすることにより形成されている。このため、フラップ２が袋本体１と重なり合う姿勢を採り得るための屈折した折り線部分ｆが好適に形成されるとともに、フラップ２と袋本体１とが重なり合って特に密着した帯状領域Ｈが形成されることになるためフラップ２の初期の姿勢が安定的に維持され得るものとなっている。
【００３０】
なお、本考案は、以上に詳述した実施形態に限られるものではない。
【００３１】
フィルム製袋は、種々の大きさに設定され得るものであることはいうまでもない。
【００３２】
フィルム製袋の製袋方法は、種々のものを適用することができる。上述した実施形態では、原反であるプラスチックフィルムの折り部を底辺として左右の側辺のみ熱溶着したいわゆる二方袋のフィルム製袋について説明したが、このようなものには限定されない。例えば、プラスチックフィルムである一方及び他方の矩形シートの左右の側辺同士だけでなく、底辺同士を熱溶着することにより製造したいわゆる三方袋のフィルム製袋であってもよい。
【００３３】
折り線部分に折り癖を付与するための折り癖付与装置は、種々のものを適用することができる。折り癖付与装置は製袋機に一体に設けられたものであってもよいし、製袋機とは別個独立に構成されたものであってもよい。
【００３４】
フィルム製袋の原反であるプラスチックフィルムは、種々のものを適用することができるのは言うまでもない。例えば、ＬＤＰＥ、ＭＤＰＥ、ＨＤＰＥ、Ｌ−ＬＤＰＥ、ＥＶＡ、ＣＰＰ、ＫＯＰ、ＡＯＰ、ＰＥＴ、ＫＰＥＴ、ＯＮ、ＫＯＮ、ＣＮ、ＰＶＡ、ＥＶＯＨ、ＰＶＣ、ＰＶＤＣ、セロハン、ＺＸ、ＰＳ、共押出しフィルム等、種々のものを適用することができる。
【００３５】
その他、各部の具体的構成についても上記実施形態に限られるものではなく、本考案の趣旨を逸脱しない範囲で種々変形が可能である。
【符号の説明】
【００３６】
Ａ…フィルム製袋
１…袋本体
２…フラップ
１１…一方の矩形シート
１２…他方の矩形シート
Ｋ…開口
ｆ…折り線部分
ｓｐ…収納空間
【図１】
0003213547.tif 000003
【図２】
0003213547.tif 000004
【図３】
0003213547.tif 000005
【図４】
0003213547.tif 000006
【図５】
0003213547.tif 000007
【図６】
0003213547.tif 000008
【図７】
0003213547.tif 000009
【図８】
0003213547.tif 000010
【図９】
0003213547.tif 000011